(57)【要約】【課題】  光学式の周辺情報検出装置をリアバンパーに配設する場合、その受発光部を洗浄するためのウォッシャーノズルをリアバンパーにコンパクトかつ合理的に組み付けることのできる周辺情報検出装置用ウォッシャーノズルの取付構造を提供する。【解決手段】  車両後部に配置されるリアバンパーリインフォースメント２と、その後方に配置されてリアバンパーリインフォースメント２の後側を覆うリアバンパーカバー３と、それらの間に介装されるアブソーバ４とに対して、それらを周辺情報検出装置５の直上位置にて車両前後方向に貫通する孔部１０を形成し、その孔部１０内にウォッシャーノズル８を格納する。ウォッシャーノズル８は、その後端部に設けたウォッシャー液噴射口が使用時にリアバンパーカバー３の後側表面に出没するように取り付ける。【選択図】  図２
2019104274.tif 000002
【特許請求の範囲】
【請求項１】
車両幅方向に延在するようにして車両後部に配置されるリアバンパーリインフォースメントと、
前記リアバンパーリインフォースメントの後方に配置されて前記リアバンパーリインフォースメントの後側を覆うリアバンパーカバーと、
前記リアバンパーリインフォースメントと前記リアバンパーカバーとの間に介装されるアブソーバと、
を含んで構成されるリアバンパーを備え、
前記リアバンパーの下部に光学式の周辺情報検出装置が、その受発光部を車両後方に向けて露出させるように配設される自動車において、
前記リアバンパーリインフォースメント、前記アブソーバおよび前記リアバンパーカバーには、それらを前記周辺情報検出装置の直上位置にて車両前後方向に貫通する孔部が形成され、
前記孔部内にウォッシャーノズルが格納されて、
前記ウォッシャーノズルの後端部に設けられたウォッシャー液噴射口が前記リアバンパーカバーの後側表面に出没する
ことを特徴とする周辺情報検出装置用ウォッシャーノズルの取付構造。
【発明の詳細な説明】
【技術分野】
【０００１】
本発明は、自動車の後部に取り付けられる周辺情報検出装置の受発光部を洗浄するウォッシャーノズルの取付構造に関する。
【背景技術】
【０００２】
ＬＩＤＡＲ（Light Detection and Ranging／Laser Imaging Detection and Ranging）と称される光学式の周辺情報検出装置を自動車に搭載して、他の車両や障害物の位置、距離等を検出することにより、運転操作の支援、自動運転制御、安全確保、防犯監視等に活用する技術が普及しつつある。例えば特許文献１には、車両の前部、側部、後部等にそれぞれ周辺情報検出装置を配設する構造が提案されている。
【先行技術文献】
【特許文献】
【０００３】
【特許文献１】特開２０１６−１７９７５２号公報（トヨタ自動車）
【発明の概要】
【発明が解決しようとする課題】
【０００４】
光学式の周辺情報検出装置は、レーザ光等の受発光部を有する。その受発光部が雨、雪、泥、埃等によって汚れると検出性能が損なわれるので、受発光部の近傍に受発光部表面の洗浄手段を設けておくことが望まれる。
【０００５】
前記特許文献１の第７実施形態（段落０１０８−０１１５、図１２）には、リアバンパーの下部に周辺情報検出装置を配設する形態が例示されている。しかし、リアバンパーには、この他にもクリアランスソナー、コーナーアブソーバ、キックセンサ（フットセンサ）等の装置類やそれらの接続部品が組み付けられることが多くなっており、それによって周辺情報検出装置の周囲の納まりが窮屈になるため、さらにウォッシャーノズルも組み付けることは容易でない。かといって、リアバンパーの外側にウォッシャーノズルを露出させて取り付けると見場が悪くなり、また、外部突起物に係る安全要件を満たせないおそれも生じる。
【０００６】
本発明は、かかる事情に鑑みてなされたもので、光学式の周辺情報検出装置をリアバンパーに配設する場合、その受発光部を洗浄するためのウォッシャーノズルをリアバンパー内にコンパクトかつ合理的に組み付けることのできる周辺情報検出装置用ウォッシャーノズルの取付構造を提供することを目的とする。
【課題を解決するための手段】
【０００７】
前述の目的を達成するため、本発明の周辺情報検出装置用ウォッシャーノズルの取付構造は、車両幅方向に延在するようにして車両後部に配置されるリアバンパーリインフォースメントと、前記リアバンパーリインフォースメントの後方に配置されて前記リアバンパーリインフォースメントの後側を覆うリアバンパーカバーと、前記リアバンパーリインフォースメントと前記リアバンパーカバーとの間に介装されるアブソーバと、を含んで構成されるリアバンパーを備え、前記リアバンパーの下部に光学式の周辺情報検出装置が、その受発光部を車両後方に向けて露出させるように配設される自動車において、前記リアバンパーリインフォースメント、前記アブソーバおよび前記リアバンパーカバーには、それらを前記周辺情報検出装置の直上位置にて車両前後方向に貫通する孔部が形成され、前記孔部内にウォッシャーノズルが格納されて、前記ウォッシャーノズルの後端部に設けられたウォッシャー液噴射口が前記リアバンパーカバーの後側表面に出没する、との構成を採用する。
【発明の効果】
【０００８】
本発明の周辺情報検出装置用ウォッシャーノズルの取付構造は、リアバンパーの下部に配設される周辺情報検出装置の受発光部を洗浄するためのウォッシャーノズルが、リアバンパーを構成するリアバンパーリインフォースメント、アブソーバおよびリアバンパーカバーを貫通する孔部内に格納されるように構成されているので、周辺情報検出装置の周囲に組み付けられる他の機器類や接続部品等の納まりに大きな影響を与えることなく、ウォッシャーノズルをリアバンパーにコンパクトに組み付けることができる。
【０００９】
車両後方の外観には孔部の開口縁とウォッシャーノズルの後端部しか現れないので、意匠的に好ましい。そして、ウォッシャーノズルが周辺情報検出装置の直上に配置されることで、ウォッシャー液が周辺情報検出装置の受発光部に対して均一に噴射されやすくなり、良好な洗浄効果が得られる。
【００１０】
さらに、そのウォッシャーノズルは、ウォッシャー液噴射口がリアバンパーカバーの後側表面に出没するように保持されるので、外部突起物に係る安全要件も満たされる。
【図面の簡単な説明】
【００１１】
【図１】本発明の実施の形態に係る自動車のリアバンパーの後面図である。
【図２】前記リアバンパーのＡ−Ａ箇所における上下方向断面図である。
【図３】前記リアバンパーのＢ−Ｂ箇所における上下方向断面図である。
【図４】前記リアバンパーの組立作業の概要を示す上下方向断面図である。
【発明を実施するための形態】
【００１２】
以下、本発明の実施の形態について、図面を参照しつつ説明する。
【００１３】
図１〜図３は、本発明の実施の形態に係る周辺情報検出装置用ウォッシャーノズルの取付構造を示している。
【００１４】
車両後部に設けられるリアバンパー１は、骨格部材となるリアバンパーリインフォースメント２と、その後方に配置されてリアバンパーリインフォースメント２の後側を覆うリアバンパーカバー３と、リアバンパーリインフォースメント２とリアバンパーカバー３との間に介装されるアブソーバ４と、を含んで構成される。
【００１５】
リアバンパーリインフォースメント２は、例えば閉じた矩形が中板２１によって上下に仕切られた、略「日」字状の断面を有する金属製部材である。リアバンパーリインフォースメント２は、図示しないリアサイドメンバの後端に結合されるなどして、車両幅方向に延在するように配置されている。
【００１６】
リアバンパーカバー３は、車両幅方向における中央付近が車両前方に向けて開口した略「コ」字状断面の樹脂製部材であり、車両幅方向における左右両端近傍部分は車両の前方に回り込んで、リアコーナー部を形成している。
【００１７】
アブソーバ４は、例えばウレタンフォームやポリプロピレンビース等の発泡性樹脂からなる弾性部材である。アブソーバ４には、リアバンパーリインフォースメント２とリアバンパーカバー３の間に挟まれる適宜厚さの壁部４１と、その壁部４１からリアバンパーリインフォースメント２の上方へ被さるように延び出した上延出部４２とが形成されている。
【００１８】
リアバンパー１の車両幅方向における中央部には、光学式の周辺情報検出装置５が配設されている。周辺情報検出装置５は略直方体状の筐体を有して、その筐体がリアバンパーリインフォースメント２の下側に図示しない適宜の支持具を介して取り付けられている。その筐体の後面には、略矩形の平坦な表面を有する受発光部５１が設けられている。
【００１９】
周辺情報検出装置５を中央に挟んで、その左右両側には、コーナーアブソーバ６１およびキックセンサ６２がそれぞれ配設されている。キックセンサ６２は、例えば静電センサや赤外線センサ等を利用して、リアバンパー１の下方の所定範囲内に運転者の足先が差し入れられたことを検出し、図示しないラゲッジドア等を開放する装置である。コーナーアブソーバ６１およびキックセンサ６２も、リアバンパーリインフォースメント２の下側に適宜の支持具を介して取り付けられている。
【００２０】
さらに、リアバンパーカバー３の下縁部にはリアバンパーロアカバー（リアバンパーロアガーニッシュ）７１が取り付けられて、コーナーアブソーバ６１およびキックセンサ６２を覆っている。リアバンパーロアカバー７１は左右に分割された状態で配置され、それらの間から周辺情報検出装置５の受発光部５１が後方に向けて露出している。
【００２１】
また、リアバンパー１の車両前方にはロアバックパネル７２が配設されており、ロアバックパネル７２の下端部にはアンダーカバー７３が接合されている。
【００２２】
本発明の要部は、このようなリアバンパー１におけるウォッシャーノズル８の取付構造にある。ウォッシャーノズル８は、リアバンパー１における周辺情報検出装置５の直上位置に形成された孔部１０内に取り付けられる。孔部１０は、リアバンパーリインフォースメント２における中板２１よりも上側の部分と、アブソーバ４の壁部４１と、リアバンパーカバー３と、を車両前後方向に貫通するように形成されている。孔部１０の開口断面は、例えば周辺情報検出装置５の受発光部５１と同程度ないしはそれよりも若干小さい横幅を有する矩形、あるいはそれに準じた長円形等である。
【００２３】
ウォッシャーノズル８は、孔部１０内に格納された状態で固定される保持体８１と、その保持体８１によって保持される可動式のノズル本体８２とを有する。ノズル本体８２は、取付状態において車両前後方向に進退し得るように保持され、その後端部がリアバンパーカバー３に形成された孔部１０の開口を通じてリアバンパーカバー３の後側表面に出没する。ノズル本体８２の前端部にはウォッシャー液を供給するホース８３が接続され、ノズル本体８２の後端部には、ウォッシャー液を周辺情報検出装置５の受発光部５１に向けて噴射するウォッシャー液噴射口（図示せず）が設けられる。そして、ウォッシャー使用時にはウォッシャーノズル８が後方に突出し、ウォッシャー液噴射口からウォッシャー液を噴射して、周辺情報検出装置５の受発光部５１の表面を洗浄する。
【００２４】
このような取付構造を採用することにより、周辺情報検出装置５の周囲に組み付けられるコーナーアブソーバ６１やキックセンサ６２等の納まりには大きな影響を及ぼすことなく、周辺情報検出装置５を洗浄するためのウォッシャーノズル８をリアバンパー１内にコンパクトに組み付けることができる。周辺情報検出装置５およびウォッシャーノズル８を車両幅方向における中央に配置することで、後方から見た外観が良好になる。また、ウォッシャーノズル８を周辺情報検出装置５の直上に配置することで、ウォッシャー液を周辺情報検出装置５の受発光部５１に対して均一に噴射しやすくなる。
【００２５】
リアバンパー１の骨格部材であるリアバンパーリインフォースメント２には、中板２１を欠損しないようにして小径の孔部１０が形成されるだけなので、リアバンパー１の耐衝突強度は十分に担保される。また、ウォッシャーノズル８のウォッシャー液噴射口が、ウォッシャー使用時にだけリアバンパーカバー３から突出し、不使用時にはリアバンパーカバー３内に没入するように保持されることで、外部突起物に係る安全要件も満たされる。
【００２６】
このような構造を有するリアバンパー１の組立作業においては、図４に示すように、リアバンパーリインフォースメント２およびアブソーバ４に孔部１０を形成しておくとともに、ウォッシャーノズル８はあらかじめリアバンパーカバー３の前面に組み付けておいて、それらを結合するという方法も想定される。この場合、アブソーバ４に形成する孔部１０の開口縁の上側に、斜め後方に向けて拡径する迎えテーパ４３を形成しておき、この迎えテーパ４３とウォッシャーノズル８とをガイドにしてリアバンパーカバー３を位置決めすることで、組立時の作業性を向上させることができる。
【００２７】
なお、本発明の技術的範囲は、例示した実施の形態によって限定的に解釈されるべきものではなく、特許請求の範囲の記載に基づいて概念的に解釈されるべきものである。本発明の実施に際しては、例示形態と実質的に同様の作用効果が得られる範囲内で、特許請求の範囲において具体的に特定していない部材・部品の形状や位置関係、接合形態等を適宜、改変して実施することはもちろん可能である。
【符号の説明】
【００２８】
１  リアバンパー
１０  孔部
２  リアバンパーリインフォースメント
２１  中板
３  リアバンパーカバー
４  アブソーバ
４１  壁部
４２  上延出部
４３  迎えテーパ
５  周辺情報検出装置
５１  受発光部
６１  コーナーアブソーバ
６２  キックセンサ
７１  リアバンパーロアカバー
７２  ロアバックパネル
７３  アンダーカバー
８  ウォッシャーノズル
８１  保持体
８２  ノズル本体
８３  ホース
【図１】
2019104274.tif 000003
【図２】
2019104274.tif 000004
【図３】
2019104274.tif 000005
【図４】
2019104274.tif 000006